(57)【要約】  本発明は、浸漬被覆浴内での浸漬被覆中に、光学レンズをその縁部において保持するためのレンズ保持装置であって、浸漬被覆中に、第１縁部側面で、前記光学レンズを当該光学レンズの縁部において保持するための第１レンズ縁部保持要素を有する第１弾性レンズ保持ユニットと、浸漬被覆中に、第２縁部側面で、前記光学レンズを当該光学レンズの前記縁部において保持するための第２レンズ保持要素を有する第２弾性レンズ保持ユニットと、浸漬被覆中に、第３縁部側面で、前記光学レンズを当該光学レンズの前記縁部において保持するための第３レンズ縁部保持要素を有する少なくとも部分的に包囲するフレームと、を備え、前記第１縁部側面及び前記第２縁部側面は、前記光学レンズの前記縁部の左側及び右側にそれぞれ配置されるとともに、前記第３縁部側面は、前記光学レンズの前記縁部の下側に配置され、前記レンズ保持装置を前記浸漬被覆浴から引き上げる際に前記浸漬被覆浴の表面で生じる波が、前記第１レンズ縁部保持要素及び前記第２レンズ縁部保持要素によって減衰されるように、前記少なくとも部分的に包囲するフレームは、第１側方フレーム部と第２側方フレーム部とを有する、レンズ保持装置に関する。また、本発明は、本発明によるレンズ保持装置を複数備えるレンズホルダセット、及び、本発明によるレンズ保持装置又は本発明によるレンズホルダを用いて光学レンズを浸漬被覆浴内で浸漬被覆するための方法に関する。
2020522381.tif 000002
【特許請求の範囲】
【請求項１】
浸漬被覆浴内での浸漬被覆中に、光学レンズ（Ｌ１、Ｌ２）をその縁部において保持するためのレンズ保持装置（２００）であって、
‐浸漬被覆中に、第１縁部側面で、前記光学レンズ（Ｌ１、Ｌ２）を当該光学レンズ（Ｌ１、Ｌ２）の縁部において保持するための第１レンズ縁部保持要素（２０３）を有する第１弾性レンズ保持ユニット（２０１）と、
‐浸漬被覆中に、第２縁部側面で、前記光学レンズ（Ｌ１、Ｌ２）を当該光学レンズ（Ｌ１、Ｌ２）の前記縁部において保持するための第２レンズ縁部保持要素（２０４）を有する第２弾性レンズ保持ユニット（２０２）と、
‐浸漬被覆中に、第３縁部側面で、前記光学レンズ（Ｌ１、Ｌ２）を当該光学レンズ（Ｌ１、Ｌ２）の前記縁部において保持するための第３レンズ縁部保持要素を有する少なくとも部分的に外周をなすフレーム（２１０）と、
を備え、
前記第１縁部側面及び前記第２縁部側面は、前記光学レンズ（Ｌ１、Ｌ２）の縁部の左側及び右側にそれぞれ配置されるとともに、前記第３縁部側面は、前記光学レンズ（Ｌ１、Ｌ２）の縁部の下側に配置され、
前記レンズ保持装置（２００）を前記浸漬被覆浴から引き上げる際に前記浸漬被覆浴の表面で生じる波が前記第１又は前記第２レンズ縁部保持要素（２０３、２０４）のそれぞれによって減衰されるように、前記少なくとも部分的に外周をなすフレーム（２１０）は、第１側方フレーム部（２１１）と第２側方フレーム部（２１２）とを有する、
レンズ保持装置（２００）。
【請求項２】
前記第１及び第２弾性レンズ保持装置（２０１、２０２）は、異なるサイズの光学レンズを保持するように共に設計される一方、
異なるサイズの光学レンズを装着しても、前記少なくとも部分的に外周をなすフレーム（２１０）は不変のままである、
請求項１に記載のレンズ保持装置（２００）。
【請求項３】
第１レンズ縁部保持要素（２０３）と前記第１側方フレーム部（２１１）との間の第１間隔、及び／又は第２レンズ縁部保持要素（２０４）と前記第２側方フレーム部（２１２）との間の第２間隔が、２２ｍｍ以下、好適にはおよそ１０ｍｍ以下、更に好適にはおよそ５ｍｍ以下、最も好適にはおよそ２ｍｍ以下である、
先行請求項のいずれかに記載のレンズ保持装置（２００）。
【請求項４】
前記第１及び第２弾性レンズ保持ユニット（２０１、２０２）は、前記フレーム（２１０）の上方フレーム部（２１４）にそれぞれ取り付けられる、
先行請求項のいずれかに記載のレンズ保持装置（２００）。
【請求項５】
前記第１及び第２弾性レンズ保持ユニット（２０１、２０２）は、対応する取付部（２１５）において前記フレーム（２１０）にそれぞれ取り付けられ、
前記レンズ保持装置（２００）は、前記レンズ保持装置（２００）に保持された光学レンズ（Ｌ１、Ｌ２）を完全に浸漬浴に浸水させる一方で前記取付部（２１５）は前記浸漬浴の外部にあり続けるように構成される、
先行請求項のいずれかに記載のレンズ保持装置（２００）。
【請求項６】
前記第１及び第２レンズ縁部保持要素（２０３、２０４）、特に第１及び第２レンズ保持ユニット（２０１、２０２）、及び／又は前記第１及び第２側方フレーム部（２１１、２１２）は、前記レンズ保持装置（２００）の鉛直平面に対して対称に配置される、
先行請求項のいずれかに記載のレンズ保持装置（２００）。
【請求項７】
前記フレーム（２１０）は、前記フレームの平面に広がり、
前記第１、第２及び第３レンズ縁部保持要素（２０３、２０４、２０５）は、前記フレームの前記平面から主に一方向に延びる、
先行請求項のいずれかに記載のレンズ保持装置（２００）。
【請求項８】
前記フレーム（２１０）は、浸漬被覆中に前記レンズ保持装置（２００）を浸漬させたり引き上げたりするための浸漬被覆システムに、前記レンズ保持装置（２００）を磁気的に取り付けるための取付ユニット（２１６）を備える、
先行請求項のいずれかに記載のレンズ保持装置（２００）。
【請求項９】
前記レンズ保持装置（２００）は、当該レンズ保持装置（２００）の機械可読識別体用のエンコードユニットを更に備え、
前記識別体は、特に機械的、及び／又は光学的、及び／又は電気的、及び／又は電磁的に読み取り可能なマークの形態を取る、
先行請求項のいずれかに記載のレンズ保持装置（２００）。
【請求項１０】
前記第１、第２及び第３レンズ縁部保持要素（２０３、２０４、２０５）は、少なくともおよそ１０ｍｍ、好適には少なくともおよそ１３ｍｍの幅（Ｄ）と、およそ７ｍｍ乃至１５ｍｍの領域、好適にはおよそ１０ｍｍ乃至１２ｍｍの範囲の高さと、を有する平面形状である、
先行請求項のいずれかに記載のレンズ保持装置（２００）。
【請求項１１】
先行請求項のいずれかに記載のレンズ保持装置（２００）を複数有するレンズホルダセットであって、
前記レンズホルダセットの前記複数のレンズ保持装置（２００）の前記フレーム（２１０）は一致する一方、前記複数のレンズ保持装置（２００）の前記第１及び第２弾性レンズ保持ユニット（２０１、２０２）は、異なるサイズの光学レンズを収容するように少なくとも部分的に異なる、
レンズホルダセット。
【請求項１２】
請求項１乃至１０のいずれかに記載のレンズ保持装置（２００）を用いて光学レンズ（Ｌ１、Ｌ２）を浸漬被覆浴内で浸漬被覆するための方法であって、
前記光学レンズが前記第３レンズ縁部保持要素（２０５）により保持される前記光学レンズ（Ｌ１、Ｌ２）の下方保持点を最後として前記浸漬浴から浮上するように、前記浸漬被覆浴から浮上する際、前記光学レンズ（Ｌ１、Ｌ２）は前記レンズ保持装置（２００）により鉛直方向に保持される、
方法。
【請求項１３】
前記第１又は第２レンズ縁部保持要素（２０３、２０３）により保持される前記光学レンズ（Ｌ１、Ｌ２）の第１及び第２側方保持点が、前記光学レンズ（Ｌ１、Ｌ２）の直径のおよそ０．４乃至０．６倍の範囲、好適には０．４５乃至０．５５倍の範囲の高さにおいて前記下方保持点の上方にそれぞれ位置するように、前記浸漬被覆浴から浮上する際、前記光学レンズ（Ｌ１、Ｌ２）は、前記レンズ保持装置（２００）により鉛直方向に保持される、
請求項１２に記載の方法。
【請求項１４】
前記レンズ保持装置（２００）は、浸漬プロセス中、浸漬被覆システムの装着レールに磁気的に保持される、
請求項１２乃至１３のいずれかに記載の方法。
【請求項１５】
前記レンズ保持装置（２００）及び／又は前記光学レンズ（Ｌ１、Ｌ２）を識別するように、前記レンズ保持装置（２００）の前記フレーム（２１０）に設けられたエンコード装置（２１７）を自動的に読み取るステップを含む、
請求項１２乃至１４のいずれかに記載の方法。
【請求項１６】
前記光学レンズ（Ｌ１、Ｌ２）が前記レンズ保持装置（２００）に保持されている間に、前記光学レンズ（Ｌ１、Ｌ２）の被覆を光学的に検査するステップを備える、
請求項１２乃至１５のいずれかに記載の方法。
【請求項１７】
請求項１１に記載のレンズホルダセットの複数のレンズ保持装置（２００）を用いて複数の光学レンズ、特にサイズの異なる光学レンズを浸漬被覆するための方法であって、
浸漬被覆浴から浮上する際、前記各第３レンズ縁部保持要素（２０５）により保持される前記光学レンズの下方保持点が、前記浸漬浴から同時に浮上する、
請求項１２乃至１６のいずれかに記載の方法。
【発明の詳細な説明】
【技術分野】
【０００１】
本発明は、浸漬被覆浴における浸漬被覆（ディップコーティング）中に光学レンズをその縁部で保持するためのレンズ保持装置であって、特に達成可能な光学被覆層の品質に対して改善されたレンズ保持装置、及びかかるレンズ保持装置を用いて光学レンズを浸漬被覆浴で浸漬被覆するための方法に関する。本発明は、光学レンズ、特に眼鏡レンズに使用され得る。
【背景技術】
【０００２】
浸漬被覆は、光学レンズ、特に眼鏡レンズを被覆するために非常に普及している。浸漬被覆において、光学レンズを、液体浸漬被覆溶液、すなわち浸漬被覆浴に浸漬させて取り出すことにより、光学レンズを浸漬被覆溶液で濡らす。続いて、光学レンズの液体被覆層を、乾燥又は硬化処理することにより、光学レンズの表面に固形被覆層が形成される。こうして、光学レンズに、機能層、例えば硬質保護層、着色層、及び／又はミラーリング又は反射防止コートが設けられ得る。
【０００３】
光学素子として光学レンズを使用するため、最適に均質化され欠陥のない被覆層を保証することが重要である。被覆層の欠陥は、浸漬被覆中及びその後の光学レンズの取り扱いにより生じる場合があり、光学レンズの光学特性に悪影響を及ぼし得る。したがって、浸漬被覆前に光学レンズをレンズホルダにクランプすることが典型的な慣習になっている。これにより、特に浸漬被覆中及びその後の光学レンズの更なる取り扱いが可能となる。ここで、光学レンズは、好適には縁部において、又は縁部付近において数個のみの保持点において保持される。こうして、少なくとも光学レンズの光学的に関連する領域で被覆層に欠陥が生じることが回避され得る、又は低減され得る。本発明の意味において、光学的に関連する領域とは、眼鏡フレームへの埋設のために保護されるべき光学レンズの領域を意味する。特に、光学的に関連する領域は、レンズ製造業者の内部標準で定義されるように、欠陥のないゾーンを有し得る。
【０００４】
選択的に欠陥がないことの他に、被覆層の均一性も重要な品質基準である。本発明によるレンズホルダは、対応する浸漬装置によって、特に自動的に、そして特に最適に制御され再現可能な（例えば、一定の）速度において、浸漬浴に浸漬され且つ再度浸漬浴から取り出されるためにも使用され得る。
【発明の概要】
【０００５】
本発明の目的は、光学レンズの改良された光学被覆層の品質を提供することである。この目的は、請求項１に記載の特徴を有するレンズ保持装置、請求項１１に記載の特徴を有するレンズホルダセット、及び請求項１２に記載の特徴を有する浸漬被覆のための方法、により達成される。好適な実施形態は、従属請求項の主題である。
【０００６】
一態様において、本発明は、浸漬被覆浴での浸漬被覆中に、光学レンズをその縁部において保持するためのレンズ保持装置を提案する。レンズ保持装置は、浸漬被覆中に、第１縁部側面で、光学レンズを前記光学レンズの縁部において保持するための第１レンズ縁部保持要素を有する第１弾性レンズ保持ユニットを備える。更に、レンズ保持装置は、浸漬被覆中に、第２縁部側面で、光学レンズを前記光学レンズの縁部において保持するための第２レンズ縁部保持要素を有する第２弾性レンズ保持ユニットを備える。第１縁部側面及び第２縁部側面は、それぞれ、光学レンズの縁部の左側又は右側に配置される。
【０００７】
最後に、レンズ保持装置は、浸漬被覆中に、光学レンズを光学レンズの縁部において保持するための第３レンズ縁部保持要素を有する少なくとも部分的に外周をなすフレームを備える。第３縁部側面は、光学レンズの縁部の下側に配置される。少なくとも部分的に外周をなすフレームは、第１側方フレーム部と第２側方フレーム部とを有する。特に、第１レンズ縁部ホルダ要素と第１側方フレーム部との間の第１距離、及び第２レンズ縁部ホルダ要素と第２側方フレームとの間の第２距離は、レンズ保持装置を浸漬被覆浴から引き上げる際に浸漬被覆浴の表面で第１または第２レンズ縁部ホルダ要素のそれぞれによって生じる波が減衰されるようなものとされている。特に、浸漬被覆浴の表面における波の減衰により、被覆層の均一性が向上するため、被覆層の光学的品質が改善される。
【０００８】
本発明の範囲において、浸漬被覆浴の表面における波により、光学レンズが不均一に被覆され得ることが認識されている。とりわけ、光学レンズを浸漬被覆浴から浮上させる際のこのような波により、局所的に、より多くの浸漬被覆が光学レンズから剥離する、又はより多くの浸漬被覆が光学レンズに付着する状態がもたらされ得ることが判明している。特に、特に浸漬被覆浴から側方レンズ縁部保持要素を浮上させる際に生じ得る波は、小さいものであっても被覆層の光学品質を制限し得ることが認識されている。しかしながら、一方で、本件発明者らは、側方フレームセグメントが、浸漬被覆浴の表面におけるこのような波を減衰させるのに非常に効率的に使用され得ること、そしてこれにより被覆層の最終的な光学品質が非常に大きな影響を受けることを認識した。
【０００９】
第１及び第２弾性レンズ保持ユニットにより、光学レンズをレンズ保持装置にクランプすること及び取り外すことができ、光学レンズは、左側及び右側方向からそれぞれ保持される。第１及び第２弾性レンズ保持ユニットは、保持された光学レンズの下側、具体的には下方点又は最下点が、第３レンズ縁部保持要素によって本質的に保持されるように設計される。保持された光学レンズの下側、具体的には下方点又は最下点とは、この意味において、浮上時に光学レンズの最後の側又は最後の点として浸漬浴溶液から浮上する光学レンズの側又は点である。この意味において、製造及び使用を理由とする従来の逸脱は、「本質的に」理解されるべきである。特に、流れ落ちる浸漬被覆溶液が、第３レンズ縁部保持要素によって光学ガラスから除去されることが保証される。浸漬被覆溶液が光学レンズから流れ落ちない場合、光学レンズの下側に浸漬被覆溶液が蓄積し得るため、被覆ビードが形成される。
【００１０】
光学レンズは、レンズ保持装置に、第１及び第２レンズ縁部保持要素をそれぞれ有する第１及び第２レンズ保持ユニットと、第３レンズ縁部保持要素とによって保持される。レンズ縁部保持要素は、レンズ縁部保持要素と光学レンズとの接触面が最小となるように設計され得る。なぜならば、このような接触面は、接触面の領域に形成されるべき被覆層に悪影響を及ぼすからである。特に、光学レンズの光学的に関連する前面及び背面に悪影響を与えないように、レンズ縁部保持要素は、レンズ縁部に沿ってしか光学レンズに接触しないように設計され得る。好適な実施形態において、レンズ保持装置にクランプされた光学レンズが確実にセンタリングされるように、クランプされた光学レンズに接触するレンズ縁部保持要素の接触表面は、Ｖ字状に形成される。別の好適な実施形態において、レンズ縁部保持要素のＶ字状の接触面は、光学レンズをより良好に保持し得るとともに光学レンズがレンズ保持装置内で滑らないように、階段形状を有する。
【００１１】
第１、第２、及び第３レンズ縁部保持要素は、それぞれ第１及び第２レンズ保持ユニット及び第３縁部側面と一体的に形成してもよいし、例えばレーザー溶接によってこれらにそれぞれ取り付けられてもよい。
【００１２】
少なくとも部分的に外周をなすフレームは、光学レンズの主面に対して平行に、好適には光学レンズの主面内に配置される。これにより、レンズホルダの安定性が向上し得る。
【００１３】
別の実施形態において、光学レンズのフレームは、光学レンズの縁部により規定される平面に対して平行である。これにより、フレームが光学レンズの前方又は後方に広がることなく、光学レンズの光軸に沿って光学レンズを見ることができる。これにより、光学レンズを浸漬被覆の前後において検査することが可能になり、被覆層の欠陥をできるだけ早期に発見して修正することができる。特に、この目的のために光学レンズをレンズ保持装置から取り外す必要はない。
【００１４】
第３レンズ縁部保持要素は、フレームの下方フレーム部に配置される。一実施形態において、第３フレーム部は平面形状である。浸漬被覆溶液の表面張力により、下方フレーム部の表面は、光学レンズから浸漬被覆溶液が可能な限り最も良好に流れ落ちることを支援するとともに、浸漬被覆溶液の表面における波の減衰に寄与する。
【００１５】
第１及び第２側方フレーム部は、第１又は第２レンズ縁部保持要素を浮上させることにより浸漬被覆溶液の表面に生じる波を減衰するように設計される。上述のように、このような波は、光学レンズの被覆層、又は平行に浸漬被覆されている隣接する光学レンズの被覆層を不均一にし得る。この減衰効果は、浮上中の第１及び第２フレーム部の表面によってもたらされるため、光学レンズの均一な被覆が可能となる。別の実施形態において、第１及び第２フレーム部は、それぞれ拡大した表面、又はそれぞれ増加した減衰効果を有する減衰部をなす。
【００１６】
別の実施形態において、第１及び第２弾性レンズ保持ユニットは、異なるサイズの光学レンズを保持するように共に設計される一方、異なるサイズの光学レンズを装着しても、少なくとも部分的に外周をなすフレームは不変のままである。このような剛性の又は寸法の安定したフレームにより、光学レンズのそれぞれのサイズに関係なく、レンズ保持装置の簡単な機械的又は自動的操作、例えば、配置、浸漬プロセス、監視、及び／又は更なる処理が可能になる。
【００１７】
別の実施形態において、第１又は第２レンズ縁部保持要素をそれぞれ有する第１又は第２弾性レンズ保持ユニットは、第１又は第２レンズ縁部保持要素により保持される光学レンズの第１及び第２側方保持点が光学レンズの直径のおよそ０．４乃至０．６倍の範囲、好適にはおよそ０．４５乃至０．５５倍の範囲の高さにおいて下方保持点の上方にそれぞれ位置するように、浸漬被覆浴からの浮上中、光学レンズがレンズ保持装置により鉛直方向に保持されるように設計される。この意味において、高さは、特に、浮上に際して浸漬被覆溶液から光学レンズの最後の点として浮上する最下点を通る軸に沿って、及び浮上方向に沿って測定される。第１及び第２弾性レンズ保持ユニットのこのような実施形態によって、光学レンズの特に確実な着座が確保される。更に、保持点を横方向にできるだけ幅広く配置することにより、レンズ縁部保持要素の浮上中に生じ得る波の被覆層に対する影響が軽減される。これに加えて、このような波は、側方フレームセグメントにより特に効率的に減衰され得る。
【００１８】
別の実施形態において、特に光学レンズを保持した状態において、第１レンズ縁部保持要素と第１側方フレーム部との間の第１間隔、及び／又は第２レンズ縁部保持要素と第２側方フレーム部との間の第２間隔が、２２ｍｍ以下、好適にはおよそ１０ｍｍ以下、更に好適にはおよそ５ｍｍ以下、最も好適にはおよそ２ｍｍ以下である。このような間隔により、第１及び第２フレーム部の非常に有利な減衰効果が保証される。ここで、減衰効果は、第１又は第２間隔が増大するにつれて減少する。
【００１９】
レンズ保持装置の別の実施形態において、第１及び第２弾性レンズ保持ユニットは、フレームの上方フレーム部にそれぞれ取り付けられる。これにより、第１又は第２浮上方向とは反対方向に浸漬被覆溶液が流れ落ちることが簡単になる。これに加えて、第１又は第２レンズ保持ユニットにおけるウェビングの形成が抑制される、及び／又は防止される。本発明の範囲において、「ウェビング」の影響によって、被覆層の品質が更に制限され得ることが認識されている。これは、浮上中に、光学レンズを含むレンズホルダの表面の完全に囲まれた表面に特に広がる液体浸漬被覆溶液の薄い被覆膜又は薄い被覆被膜が形成されることである。このような被覆膜の浸漬被覆溶液は、被覆膜が不安定になって裂けるまで流れ続ける。これにより、浸漬被覆溶液において被覆の跳ねや波が生じ得るため、光学レンズの被覆層に欠陥が生じることがある。また、浸漬被覆溶液での被覆の跳ね及び／又は波により、平行に浸漬被覆されている隣接する光学レンズの被覆層に欠陥が生じ得る。したがって、ウェビング膜の形成を防止する、又はその有害な影響を制限するレンズホルダを提供することが有利である。
【００２０】
第１及び第２弾性レンズ保持ユニットは、対応する取付部においてフレームにそれぞれ取り付けられ、レンズ保持装置は、レンズ保持装置に保持された光学レンズを完全に浸漬浴に浸水させる一方で取付部は浸漬浴の外部にあり続けるように構成される。レンズ保持装置は、好適には、上方フレームセグメントが浸漬浴に浸水しないように設計される。
【００２１】
取付部が浸漬浴に浸水しないようにすることにより、被覆被膜の形成、ひいてはウェビングの影響が防止され得る。更に、取付セグメントは、集塵可能な表面を有し得る。この取付部が浸漬浴に浸水しない限り、浸漬被覆溶液の汚染が回避され得る。
【００２２】
別の実施形態において、第１及び第２レンズ縁部保持要素、特に第１及び第２弾性レンズ保持ユニット、及び／又は第１及び第２側方フレームセグメントは、レンズ保持装置の鉛直平面に対して対称に配置される。この意味において、鉛直平面とは、特に、その法線ベクトルが側方フレーム部によって規定される平面の法線ベクトルに直交するように規定され且つ浸漬被覆溶液の表面により規定される平面の法線ベクトルに直交して延びる平面である。レンズ縁部保持要素、又は弾性レンズ保持ユニット、及び／又は側方フレーム部のこのような対称配置によって、浸漬被覆溶液の表面に生じる波は、レンズ縁部保持要素、又は弾性レンズ保持ユニット、及び／又は側方フレーム部によって対称的に減衰される。これにより、波が不均一に減衰されることがなく、光学レンズの均一な被覆が可能になる。
【００２３】
好適な実施形態において、第１及び／又は第２フレーム部は、浮上に際して浸漬被覆浴の表面に対して本質的に直交して延びる。換言すれば、第１及び／又は第２フレームセグメントは、好適には、レンズ保持装置の鉛直軸に対して平行に移動する。この意味において、「本質的に」とは、特に、第１又は第２フレームセグメントの軸（又はレンズ保持装置の鉛直軸）と浸漬被覆溶液の表面により規定される平面の法線ベクトルとの間の角度が、およそ１０°以下、好適にはおよそ５°以下、最も好適にはおよそ２°以下であることを意味する。これにより、光学レンズの被覆品質に悪影響を及ぼし得る弓形波が、レンズ保持装置の浸漬被覆浴からの浮上中に、第１及び／又は第２フレーム部によって生成されないという効果が得られる。
【００２４】
別の実施形態において、フレームは、フレーム平面に広がり、第１、第２及び第３レンズ縁部保持要素は、フレームの平面から主に共通の方向に延びる。これにより、この共通方向の反対側において、レンズ保持装置が、平面状表面に非常に良好に載置され得るため、レンズ保持装置が変形するような場合であっても非常に簡単に再度位置合わせすることができることが達成される。好適な実施形態において、フレーム、及びフレームによって少なくとも部分的に又は全体的に包囲されるレンズ保持装置の全ての要素は、フレームの平面の本質的に共通する側に配置される。この意味において、「本質的に」とは、レンズ保持装置の作製、例えば、レンズ縁部保持要素を弾性レンズ保持ユニットにレーザー溶接により取り付けるために必要な最小限の突起を除外することを意味する。
【００２５】
別の実施形態において、レンズ保持装置は、浸漬被覆中にレンズ保持装置を浸漬させたり引き上げたりするための浸漬被覆システムにレンズ保持装置を取り付けるための取付ユニットも備える。好適な実施形態において、レンズ保持装置のフレームが、浸漬被覆中にレンズ保持装置を浸漬させたり引き上げたりするための浸漬被覆システムにレンズ保持装置を磁気的に取り付けるための取付ユニットを備える。これにより、レンズ保持装置を浸漬被覆システムに柔軟に且つ可変的に装着することが可能になる。つまり、浸漬被覆システムに装着される隣接するレンズ保持装置間の間隔を事前に確定的に決定することがない。例えば、保持される光学レンズのそれぞれの厚さ及び／又は曲率に応じて、間隔を様々に選択することができる。こうして、利用可能なスペースを非常に効率的に使用することが可能となると同時に、複数の光学レンズを同時に被覆した場合に被覆層の高い品質が保証される。
【００２６】
別の実施形態において、レンズ保持装置は、当該レンズ保持装置の機械可読識別体用のエンコードユニットも備え、識別体は、特に機械的、及び／又は光学的、及び／又は電気的、及び／又は電磁的に読み取り可能なマークの形態を取る。例えば、これにより、異なるレンズサイズ用のレンズ保持装置を非常に簡単に自動的に検出することができるため、例えば自動配置や被覆が非常に簡単になる。この他に、好適には、被覆プロセスにおいて、更には品質管理において、眼鏡レンズ等の単一の個々の光学レンズを独自に、好適には完全に自動的に追跡することが可能である。更にまた、例えばＲＦＩＤを使用して、被覆したレンズを、輸送トレイ、及び／又はジョブ番号に独自に対応付ける、及び／又はこの被覆レンズを正しい輸送トレイに完全に自動的に戻す、及び／又はジョブ又はジョブ番号を任意の輸送トレイのレンズに再度対応付けることも可能である。
【００２７】
好適な実施形態において、第１、第２及び／又は第３レンズ縁部保持要素は、少なくともおよそ１０ｍｍ、好適には少なくともおよそ１３ｍｍの幅と、およそ７ｍｍ乃至１５ｍｍの範囲、好適にはおよそ１０ｍｍ乃至１２ｍｍの範囲の高さを有して平坦に設計される。平面的なレンズ縁部保持要素が大きい表面を有することで、レンズ縁部保持要素を介して浸漬被覆溶液が最も良好に流れ落ちることが有利に保証されるため、均質な被覆層の形成が支援される。更に、レンズ縁部に被覆ビードが形成されることも抑制され得る。この幅は、好適には、フレームの平面に対して直交して延びる。
【００２８】
本発明の更なる態様は、本発明によるレンズ保持装置を複数有するレンズホルダセットに関する。レンズホルダセットの複数のレンズ保持装置のフレームは一致する一方、複数のレンズ保持装置の第１及び第２弾性レンズ保持ユニットは、異なるサイズの光学レンズを収容するように少なくとも部分的に異なる。これにより、レンズホルダセットのレンズ保持装置は、本発明によるレンズ保持装置について開示された特徴を任意に組み合わせて有し得る。異なるサイズを有する光学レンズを収容するためのフレームが一致していることにより、取り扱いが簡単で且つ浸漬被覆の効率を簡単に向上させる汎用性のあるレンズホルダセットを提供することができる。特に、異なる光学レンズを、一致するフレームにより、部分的又は完全に自動的に確実に機械処理することができる、具体的には被覆及び点検することができる。
【００２９】
本発明の更なる態様は、本発明によるレンズ保持装置を用いて光学レンズを浸漬被覆浴内で浸漬被覆するための方法に関する。第３レンズ縁部保持要素により保持される光学レンズの下方保持点を最後として光学レンズが浸漬浴から浮上するように、浸漬被覆浴から浮上する際、光学レンズはレンズ保持装置により鉛直方向に保持される。レンズ保持装置は、本発明によるレンズ保持装置について開示された特徴を任意に組み合わせて有し得る。光学レンズをこのように鉛直方向に保持することにより、光学レンズから浸漬被覆溶液が最適に流れ落ちることが可能になり、被覆流れライン、被覆ビード、及び更なる被覆層欠陥の形成が回避される。
【００３０】
別の実施形態において、第１又は第２レンズ縁部保持要素のそれぞれにより保持される光学レンズの第１及び第２側方保持点が、光学レンズの直径のおよそ０．４乃至０．６倍の範囲、好適には０．４５乃至０．５５倍の範囲の高さにおいて下方保持点の上方にそれぞれ位置するように、浸漬被覆浴から浮上する際、光学レンズは、レンズ保持装置により鉛直方向に保持される。これにより、レンズ保持装置における光学レンズの特に良好な保持が確実とされる。
【００３１】
別の実施形態において、レンズ保持装置は、浸漬プロセス中、浸漬被覆システムの装着レールに磁気的に保持される。これにより、レンズ保持装置用の装着レールの利用可能なスペースを効率的な使用が保証される。
【００３２】
別の実施形態において、本方法は、レンズ保持装置及び／又は光学レンズを識別するように、レンズ保持装置のフレームに設けられたエンコードユニットを自動的に読み取るステップも含む。
【００３３】
別の実施形態において、本方法は、光学レンズがレンズ保持装置に保持されている間に、及び浸漬浴から浮上させた後に、光学レンズの被覆を光学的に検査するステップを含む。部分的に又は全体的に外周をなすフレームにより、光学レンズをレンズ保持装置から取り外す必要がなく、浸漬被覆浴からの浮上後の光学レンズの取り扱いが簡単になる。このため、光学レンズを直接的に取り扱うことで被覆層に生じ得る欠陥が回避される。また、レンズ保持装置の少なくとも部分的に外周をなす設計により、レンズ保持装置の一部が光学レンズを通る光路を覆うことなく、光学レンズを光学的に検査することが可能になる。したがって、光学レンズをレンズ保持装置から取り外す必要なく、光学レンズを完全な光学検査にかけることができる。
【００３４】
別の実施形態は、本発明によるレンズホルダセットの複数のレンズ保持装置を用いて複数の光学レンズ、特にサイズの異なる光学レンズを浸漬被覆するための方法に関する。浸漬被覆浴から浮上する際、各第３レンズ縁部保持要素により保持される光学レンズの下方保持点が、浸漬浴から同時に浮上する。複数の光学レンズのうちの或る光学レンズの各下方保持点から浸漬被覆溶液が裂けることにより、浸漬被覆溶液の表面に波が生じ、この波は伝播して、まだ完全に浮上していない隣接する光学レンズの被覆層に欠陥をもたらし得る。複数の光学レンズの下方保持点が同時に浮上することで、被覆層にこのような欠陥が生じることが防止又は低減される。
【００３５】
以下、添付図面を参照しつつ、好適な例示的実施形態を使用しつつ本発明を説明する。
【図面の簡単な説明】
【００３６】
【図１】光学レンズを保持するための従来のレンズホルダを示す図。
【図２】本発明によるレンズ保持装置の例示的な実施形態を示す図。
【図３】本発明によるレンズ保持装置、特に、第１／第２レンズ縁部保持要素、及び第３レンズ縁部保持要素の側面図。
【図４】本発明によるレンズ保持装置の斜視図。
【図５】本発明によるレンズ保持装置の別の実施形態を示す図。
【発明を実施するための形態】
【００３７】
図１は、光学レンズを保持するための従来のレンズホルダ１０の一例を示す。レンズホルダ１０は、浸漬被覆プロセスにおいて、レンズホルダ１０を取り付けるための取付要素１を備えている。また、レンズホルダ１０は、非閉鎖的に設計されたフレーム２を備えている。光学レンズＬ１、Ｌ２をレンズホルダ１０で保持するように、第１、第２及び第３保持要素３、４、５がフレーム２に配置されている。
【００３８】
図２は、本発明によるレンズ保持装置２００の例示的な実施形態を示す。本実施形態において、レンズ保持装置２００は、閉鎖的に設計されたフレーム２１０を備えている。したがって、レンズ保持装置２００は、例えば浸漬被覆プロセスにおいて、フレーム２１０の振動に対して高い安定性がある。これにより、均一な被覆が促進される。フレーム２１０は、第１側方フレーム部２１１及び第２側方フレーム部２１２を備える。これらのフレームは、上方フレーム部２１４及び下方フレーム部２１３を介して互いに接続されている。
【００３９】
本実施形態において、下方フレーム部２１３は、平面的な設計を有している。浸漬被覆溶液の表面張力により、レンズ保持装置２００に挿入された光学レンズＬ１、Ｌ２から浸漬被覆溶液が均一に流れ落ちることが、光学レンズＬ１、Ｌ２を浮上させる際に支援される。均一に流れ落ちることにより、光学レンズＬ１、Ｌ２に均一な被覆層を形成することが可能となる。
【００４０】
レンズ保持装置２００は、第１弾性レンズ保持ユニット２０１と第２弾性レンズ保持ユニット２０２とを更に備えている。これらのユニットは、フレーム２１０において、上方フレーム部２１４の取付部２１５に配置されている。レンズ保持装置２００の一例において、第１及び第２レンズ保持ユニット２０１、２０２は、連続部品により一部品として形成されている。光学レンズＬ１、Ｌ２の縁部を保持するように設計された第１レンズ縁部保持要素２０３が、第１レンズ保持ユニット２０１に配置されている。光学レンズＬ１、Ｌ２の縁部を、第１レンズ縁部保持要素２０３の本質的に反対側で保持するように設計された第２レンズ縁部保持要素２０４が、第２レンズ保持ユニット２０２に配置されている。
【００４１】
また、第３レンズ縁部保持要素２０５が、下方フレーム部２１３に配置されている。この第３レンズ縁部保持要素２０５は、光学レンズＬ１、Ｌ２を、光学レンズＬ１、Ｌ２の最下点において保持するように設計されている。これにより、浮上中に最下点で生じる可能性のある被覆ビードが、第３レンズ縁部保持要素２０５を介して流れ落ち得ることが保証される。このような構成配置により、異なる直径を有する光学レンズＬ１、Ｌ２を、フレームサイズを変更することなく、同一のレンズ保持装置２００に選択的にクランプすることができ、光学レンズＬ１、Ｌ２の最下点は、第３レンズ縁部保持要素２０５により本質的に保持される。
【００４２】
特に、レンズ保持装置は、挿入される光学レンズＬ１、Ｌ２が浸漬被覆浴に完全に浸水され得る一方で、上方フレーム部２１４、特に取付部２１５及びレンズ保持ユニット２０１、２０２上端部は浸漬被覆浴の外部にあり続け得るように設計されている。これにより、図１による従来のレンズホルダ１０で発生し得る浮上時の望ましくない被覆被膜の形成が防止され得る。
【００４３】
本発明と比較して明らかなように、例えば図１において、保持された光学レンズＬ１、Ｌ２、フレーム２、及び保持要素４、５によって、包囲面Ａが画定される。保持された光学レンズＬ１、Ｌ２、フレーム２、及び保持要素３、５によって、第２包囲面Ｂが画定される。両表面とも、光学レンズの浸漬被覆浴への浸漬時に完全に浸水する。したがって、レンズホルダのこれらの表面には、領域Ａ、Ｂを覆う被覆膜が形成されやすい。このような被覆膜は、光学レンズ１０の浸漬被覆溶液からの浮上時に生成される。浸漬被覆溶液は、面Ａ及びＢを濡らすため、ウェビングとも称される薄い液体被覆膜が生成される。被覆膜の液体浸漬被覆溶液は、被覆膜が不安定になって裂けるまで、濡れた面Ａ、Ｂから流れ落ち続ける。このため、浸漬被覆溶液が飛散し、隣接するレンズホルダ１０内の他の光学レンズＬ１、Ｌ２の被覆層に欠陥が生じ得る。更には、被覆膜が急に裂けることで浸漬被覆溶液に波が発生し得る。この波も同様に、隣接する光学レンズの被覆層に欠陥をもたらし得る。
【００４４】
図２の例示的実施形態において、第１及び第２レンズ保持ユニット２０１、２０２は、第１及び第２レンズ縁部保持要素２０３，３０４間の相互間隔がより大きくなる弾性変形により、前記第１及び第２レンズ縁部保持要素２０３，２０４間の直線接続ラインからの、又は側方保持点同士間の直線接続ラインからの第３レンズ縁部保持要素２０５の間隔がより大きくなるように更に設計されている。図示の実施形態において、これは、特に、側部レンズ保持ユニット２０１、２０２が、上方フレーム部に接続されることにより、弛緩状態の（したがってクランプされた光学レンズがない）第１及び第２レンズ縁部保持要素間の相互間隔よりも狭い中央領域でのみ本質的に剛性でありながら、そうでない場合には弾性変形し得るということにより、達成される。これにより、（円形の外周を有する）ブランクの円形光学レンズについて、たとえレンズサイズが異なっていても、側方保持点が、レンズの中心点の高さ領域において比較的良好に配置され得ることが達成される。したがって、レンズ保持装置２００における光学レンズＬ１、Ｌ２の確実な保持、及び光学レンズＬ１、Ｌ２から浸漬被覆溶液が均一に流れ落ちるようにするレンズ縁部保持要素２０３、２０４、２０５の最適な分布配置が確保される。
【００４５】
また、レンズ保持装置２００は、レンズ保持装置２００を浸漬被覆システムの装着レールに取り付けるための取付ユニット２１６を備えている。
【００４６】
図３は、レンズ保持装置２００、特に第１／第２レンズ縁部保持要素２０３／２０４及び第３レンズ縁部保持要素２０５の側面図である。第１／第２レンズ縁部保持要素２０３／２０４は、幅Ｄを有する平面形状であり、横断領域３０１を有している。横断領域３０１は、浸漬被覆溶液の表面張力により、浮上の際に第１／第２レンズ縁部保持要素２０３／２０４を介して光学レンズから前記浸漬被覆溶液が均一に流れ落ちることを可能にする。第１／第２レンズ縁部保持要素２０３／２０４は、Ｖ字状凹部３０２も有している。Ｖ字状凹部３０２は、光学レンズの縁部を保持するとともに、前記光学レンズを前記第１／第２レンズ縁部保持要素２０３／２０４においてセンタリングするように設計されている。Ｖ字状凹部には、光学レンズを確実に保持することを保証し、光学レンズがレンズ保持装置２００内で滑らないように、段部が更に形成されている。
【００４７】
第１／第２レンズ縁部保持要素２０３／２０４の側部３０３及び３０４は、光学レンズの浸漬被覆浴からの浮上方向に対して平行に移動する。これは、前記浸漬被覆浴での表面波の形成を防止するためである。丸みを帯びた側部３０５は、第１／第２レンズ縁部保持要素２０３／２０４が突然浮上して更なる表面波が生じる可能性を回避するように設計されている。この代わりに、丸みを帯びた側部３０５は、第１／第２レンズ縁部保持要素２０３／２０４が徐々に浮上することを可能にする。
【００４８】
また、図３は、レンズ保持装置２００の全ての構成要素が、フレーム２１０が広がる平面の一側に本質的に配置されていることを明瞭に示す。これにより、レンズ保持装置が変形したとしても、例えばレンズ保持装置２００を平坦面に押し付けて、変形した構成要素を簡単に整列させることができる。
【００４９】
図４は、レンズ保持装置２００の斜視図を示す。図５は、本発明によるレンズ保持装置２００の別の実施形態を示す。図５のレンズ保持装置２００は、取付ユニット２１６の配置が変更されている点で、図４のレンズ保持装置２００と異なる。具体的には、取付ユニット２１６は、上方フレーム部２１５に側方に配置されている。取付ユニット２１６は、レンズ保持装置の機械可読識別体用のエンコードユニット２１７も備えている。識別体は、機械的、及び／又は光学的、及び／又は電気的、及び／又は電磁的に読み取り可能なマークの形態を取る。したがって、レンズ保持装置２００を、非常に簡単に自動的に認識することができる。
【００５０】
本発明及びその態様は、上述の特徴の組合せに限定されない。当業者は、開示された態様、実施形態及び図面の特徴とこれに関連する技術的利点との任意の組合わせを随意に構成することができる。
【００５１】
１０    レンズホルダ
１      取付要素
２      フレーム
３      第１保持要素
４      第２保持要素
５      第３保持要素
Ｌ１、Ｌ２  光学レンズ
Ａ      第１包囲面
Ｂ      第２包囲面
２００  レンズ保持装置
２０１  第１レンズ保持ユニット
２０２  第２レンズ保持ユニット
２０３  第１レンズ縁部保持要素
２０４  第２レンズ縁部保持要素
２０５  第３レンズ縁部保持要素
２１０  フレーム
２１１  第１側方フレーム部
２１２  第２側方フレーム部
２１３  下方フレーム部
２１４  上方フレーム部
２１５  取付部
２１６  取付ユニット
２１７  エンコードユニット
Ｄ      幅
３０１  横断領域
３０２  Ｖ字状凹部
３０３、３０４  側部
３０５  丸みを帯びた側部
【図１】
2020522381.tif 000003
【図２】
2020522381.tif 000004
【図３】
2020522381.tif 000005
【図４】
2020522381.tif 000006
【図５】
2020522381.tif 000007
【国際調査報告】
2020522381.tif 000008
2020522381.tif 000009
2020522381.tif 000010
2020522381.tif 000011
2020522381.tif 000012
2020522381.tif 000013